(57)【要約】      （修正有）【課題】部品点数を増加させることなく、開閉操作も容易なスライドファスナーを備えた、使用者の衣服を傷めることのないバッグを提供する。【解決手段】バッグ本体部１１の側面部１２に設けられた収納部１３の開口部１４には、開口部１４を開閉可能に閉塞するファスナー１５が設けられ、ファスナー１５は、開口部１４を閉塞した状態においては、ファスナーエレメント部１６が収納部１３の内側に配設されるように構成されている。バッグ本体部１１には、肩掛け部１７又は持ち手部が設けられている。【選択図】図１
0003212400.tif 000002
【実用新案登録請求の範囲】
【請求項１】
バッグ本体部の側面部に設けられた収納部の開口部には、前記開口部を開閉可能に閉塞するファスナーが設けられ、前記ファスナーは、前記開口部を閉塞した状態においては、ファスナーエレメント部が前記収納部の内側に配設されるように構成されていることを特徴とするバッグ。
【請求項２】
前記バッグ本体部には、肩掛け部又は持ち手部が設けられていることを特徴とする請求項１記載のバッグ。
【請求項３】
前記ファスナーは、樹脂ファスナーであることを特徴とする請求項１記載のバッグ。
【考案の詳細な説明】
【技術分野】
【０００１】
本考案は、バッグに係り、特に、本体部の側面部に収納部が設けられているバッグに関するものである。
【背景技術】
【０００２】
一般に、バッグの本体部の側面側には、ファスナーで開閉する開口部を有する収納部が設けられていることが多い。
しかしながら、バッグに使用されるファスナーの多くは、ファスナーエレメント部が表面側に突出しているため、持ち運び時に、バッグの側面部が使用者の衣服と擦れることにより、使用者の衣服を傷めてしまうという不具合があった。
【０００３】
本件出願人は、このような観点から先行技術の調査を行い、特許文献１のような文献を発見した。
【０００４】
例えば、特許文献１には、スライドファスナーに沿って帯状体を設け、帯状体によりスライドファスナーを被覆するように構成されている鞄が開示されている。
【０００５】
しかしながら、特許文献１に開示されている鞄にあっては、スライドファスナーを被覆するような部材が別途必要となるために、部品点数が増加し、その結果製造コストが嵩む、という不具合があった。
また、スライドファスナーが被覆されるように部材が取り付けられていることから開閉操作がしにくい、という不具合もあった。
【先行技術文献】
【特許文献】
【０００６】
【特許文献１】実登第３１９６９６９号公報
【考案の概要】
【考案が解決しようとする課題】
【０００７】
本考案の課題は、部品点数を増加させることなく、開閉操作も容易なスライドファスナーを備えた、使用者の衣服を傷めることのないバッグを提供することである。
【課題を解決するための手段】
【０００８】
前記課題達成のため、請求項１記載の考案にあっては、バッグ本体部の側面部に設けられた収納部の開口部には、前記開口部を開閉可能に閉塞するファスナーが設けられ、前記ファスナーは、前記開口部を閉塞した状態においては、ファスナーエレメント部が前記収納部の内側に配設されるように構成されていることを特徴とする。
【０００９】
また、前記ファスナーは、前記開口部を閉塞した状態においては、ファスナーエレメント部が前記収納部の内側に配設されるように構成されていることから、バッグ本体部の側面部は、凹凸のない平らな面を構成する。
【００１０】
請求項２記載の考案にあっては、肩掛け部又は持ち手部が設けられていることを特徴とする。
【００１１】
従って、請求項２記載の考案にあっては、肩掛け部又は持ち手部が設けられていることから、使用時には、バッグ本体部を持ち抱えるだけでなく、肩に掛けて、又は手で持ち手部を把持して運搬される。
【００１２】
請求項３記載の考案にあっては、前記ファスナーは、樹脂ファスナーであることを特徴とする。
【考案の効果】
【００１３】
前記ファスナーは、前記開口部を閉塞した状態においては、ファスナーエレメント部が前記収納部の内側に配設されるように構成されていることから、バッグ本体部の側面部は凹凸のない平らな面を構成しているため、使用者の衣服に、長時間接触し、擦れた場合においても、衣服の表面を傷めることをなく、安心して使用することができる。
【００１４】
その結果、部品点数を増加させることなく、開閉操作も容易なスライドファスナーを備えた、使用者の衣服を傷めることのないバッグを提供することができる。
【００１５】
請求項２記載の考案に係るバッグにあっては、肩掛け部又は持ち手部が設けられていることから、使用時には、バッグを持ち抱えるだけでなく、肩に掛けて、又は手で持ち手部を把持して運搬することができる。
その結果、使用者が持ち運びしやすい運搬方法を選択することができる。
【００１６】
請求項３記載の考案に係るバッグにあっては、前記ファスナーは、樹脂ファスナーであることから、市販されているので容易に入手することができると共に、構成部品に要する費用を軽減することができる。
その結果、バッグの製造コストを削減することができる。
【図面の簡単な説明】
【００１７】
【図１】図１は、本考案の一実施の形態に係るバッグを示す正面図である。
【図２】図２は、本考案の一実施の形態に係るバッグの開口部を開いた状態を示す正面図である。
【図３】図３（ａ）及び（ｂ）は、本考案の一実施の形態に係るバッグに使用するファスナー及び一般的なファスナーを示す正面図である。
【考案を実施するための最良の形態】
【００１８】
以下、添付図面に示す実施の形態に基づき、本発明を詳細に説明する。
図１〜図３に示すように、本実施の形態に係るバッグ１０にあっては、バッグ本体部１１の側面部１２に設けられた収納部１３の開口部１４には、開口部１４を開閉可能に閉塞するファスナー１５が設けられ、ファスナー１５は、開口部１４を閉塞した状態においては、ファスナーエレメント部１６が収納部１３の内側に配設されるように構成されている。
【００１９】
図１に示すように、本実施の形態に係るバッグ１０は、全体略横長直方体状に形成されたバッグ本体１１を有するショルダーバッグであって、側面部１２、２５と、略細長長方形状を有する側面部１２、２５の間に設けられているマチ部１８、２４とから構成され、バッグ本体１１の上部の両端部には肩掛け用のストラップが取付部２３、２３を介して接合固定されている。
【００２０】
図１に示すように、本実施の形態に係るバッグ１０にあっては、バッグ本体部１１には主収納部２０が設けられ、本体部１１の側面部１２には副収納部１３が設けられている。
【００２１】
図１に示すように、本実施の形態に係るバッグ１０にあっては、主収納部２０の開口部２１には、開口部２１を開閉可能に閉塞するファスナー１９が設けられている。
【００２２】
図１に示すように、本実施の形態に係るバッグ１０にあっては、副収納部１３の開口部１４には、ファスナーエレメント部１６が副収納部１３の内側に配設されるように構成されているファスナー１５が設けられている。
【００２３】
図１に示すように、本実施の形態に係るバッグ１０にあっては、バッグ本体部１１の側面部１８の上端部にはストラップ１７を挿通するための略長方形状の金具２６が設けられている。
【００２４】
図１に示すように、本実施の形態に係るバッグ１０にあっては、バッグ本体部１１の側面部２４の上端部には、ストラップ１７の長さ調節をするための部材２２が取り付けられている。
【００２５】
図１〜図３に示すように、本実施の形態に係るバッグ１０にあっては、ファスナー１５、１９は、樹脂ファスナーである。
【００２６】
以下、本実施の形態に係るバッグの作用及び効果について説明する。
図１及び図２に示すように、本実施の形態に係るバッグ１０にあっては、開口部１４を閉塞した状態においては、ファスナーエレメント部１６が収納部１３の内側に配設されるように構成されていることから、バッグ本体部１１の側面部１２は凹凸のない平らな面を構成しているため、使用者の衣服に、長時間接触し、擦れた場合においても、従来のようにファスナーエレメント部１６が側面部１２の一般面から側方に突出して衣服とこすれ、衣服の表面を傷めることをなく、安心して使用することができる。
【００２７】
従って、部品点数を増加させることなく、開閉操作も容易なスライドファスナーを備えた、使用者の衣服を傷めることのないバッグを提供することができる。
【００２８】
図１〜図３に示すように、ファスナー１５、１９は、樹脂ファスナーであることから、市販されているので容易に入手することができると共に、構成部品に要する費用を軽減することができる。
従って、バッグの製造コストを削減することができる。
【産業上の利用可能性】
【００２９】
本考案は、収納部に設けられたファスナーに特徴を有するバッグであることから産業上の利用可能性を有している。
【符号の説明】
【００３０】
１０…バッグ
１１…バッグ本体部
１２…側面部
１３…（副）収納部
１４…開口部
１５…ファスナー
１６…ファスナーエレメント部
１７…肩掛け部（ストラップ）
１８…マチ部
１９…ファスナー
２０…主収納部
２１…開口部
２２…長さを調節するための部材          
２３…取付部
２４…マチ部
２５…側面部
２６…金具
【図１】
0003212400.tif 000003
【図２】
0003212400.tif 000004
【図３】
0003212400.tif 000005